(57)【要約】【課題】  カメラを固定する場合に、音の出ないカメラ固定装置を提供する。【解決手段】  雄型アタッチメント１２と、雌型アタッチメント１４とからなり、雄型アタッチメントに嵌合凸部１５を設けるとともに、雌型アタッチメントに嵌合凹部１６を設け、雌型アタッチメントに、嵌合凸部の進入方向と交差する方向にスライド自在な基板１１１と、該基板に立設され、基板がスライドすることで前記嵌合凹部に突出した状態と嵌合凹部から退避した状態との間で移動自在な固定ピン２５と、該固定ピンが前記嵌合凹部に突出する方向に固定ピンを付勢するバネ手段１１２と、前記嵌合凸部に形成され、前記固定ピンが入退可能な切欠溝１５ａとを有する。【選択図】      図１
2008199074.tif 000002
【特許請求の範囲】
【請求項１】
撮像カメラと雲台のいずれか一方に取り付けられる雄型アタッチメントと、撮像カメラと雲台のいずれか他方に取り付けられる雌型アタッチメントと、前記雄型アタッチメントに設けられた嵌合凸部と、前記雌型アタッチメントに形成され、前記嵌合凸部が進入可能で、進入した状態では進入方向と交差する方向の移動が阻止される嵌合凹部と、前記雌型アタッチメントに設けられ、前記嵌合凸部の進入方向と交差する方向にスライド自在に設けられ、雌型アタッチメントの外部に突出部を有する基板と、該基板に立設され、基板がスライドすることで前記嵌合凹部に突出した状態と嵌合凹部から退避した状態との間で移動自在な固定ピンと、該固定ピンが前記嵌合凹部に突出する方向に固定ピンを付勢するバネ手段と、前記嵌合凸部に形成され、前記固定ピンが入退可能な切欠溝と、を有することを特徴とするカメラ固定装置。
【請求項２】
前記基板の突出部に取手を設けたことを特徴とする請求項１記載のカメラ固定装置。
【請求項３】
前記嵌合凹部が蟻溝で、前記嵌合凸部が蟻ほぞであることを特徴とする請求項１又は２記載のカメラ固定装置。
【請求項４】
前記嵌合凸部と嵌合凹部が、嵌合凸部の進入方向の先端側が狭くなるＶ型であることを特徴とする請求項１から３のいずれかに記載のカメラ固定装置。
【請求項５】
前記切欠溝が、前記嵌合凸部の進入方向とほぼ直角に交差していることを特徴とする請求項１から４のいずれかに記載のカメラ固定装置。
【請求項６】
前記嵌合凹部の所定の位置に前記嵌合凸部が進入したのを検知する検知手段を設けたことを特徴とする請求項１から５のいずれかに記載のカメラ固定装置。
【請求項７】
前記嵌合凹部に連続して凹空間が設けられ、前記検知手段が前記凹空間に出没する偏心カムを有することを特徴とする請求項６記載のカメラ固定装置。
【発明の詳細な説明】
【技術分野】
【０００１】
本発明は、カメラを三脚などに設けられた雲台に固定するカメラ固定装置に関し、特に、テレビカメラなどの撮像カメラへの適用に適したカメラ固定装置に関する。
【背景技術】
【０００２】
テレビカメラなどの撮像カメラを、三脚に固定する場合、一般に図４から図９に示すようなカメラ固定装置が使用されてきた。
【０００３】
図４は、撮像カメラと従来のカメラ固定装置の全体を示すものである。同図に示すように、撮像カメラ１１は、その下部に雄型アタッチメント１２を備え、三脚などの頂部に取り付けられた雲台１３には、雌型アタッチメント１４が取り付けられている。
【０００４】
図５は、撮像カメラ１１の下部の雄型アタッチメント１２部分を拡大した斜視図である。雄型アタッチメント１２には、Ｖ字形（又は台形）の嵌合凸部１５が形成されている。この嵌合凸部１５には、Ｖ字と直交するように切欠溝１５ａが形成されている。一方、図４に示す雌型アタッチメント１４には、Ｖ字型（又は台形）をした嵌合凹部１６があり、嵌合凸部１５を嵌合凹部１６に嵌合して雌雄のアタッチメント１２，１４を結合させることで、撮像カメラ１１が雲台１３を介して三脚等に固定されることになる。
【０００５】
図６は、雌型アタッチメント１４の嵌合凹部１６の部分を取り除いた内部構成を示す図で、嵌合凹部１６を仮想線で示している。嵌合凹部１６とこれに連接した凹空間１７とは、１枚の板をプレス加工などによって形成されたもので、雌型アタッチメント１４を覆うように取り付けられている。図６は、これを取り外した状態の図である。以下に雌型アタッチメント１４の構成を説明する。
【０００６】
操作レバー１８は、雌雄のアタッチメント１２，１４の嵌合を解除するために使用するレバーで、クランク型の本体の先端に短い交差部が延設された形状である。この操作レバー１８は、交差部の一端にある回動軸１８ａで回動可能に雌型アタッチメント１４に固定されている。操作レバー１８の基端側には、操作ノブ１８ｂがあり、隣接して設けられた解除レバー１８ｃを矢印ａ方向に動かすと、操作レバー１８は回動軸１８ａを中心にして回動が自在になる。解除レバー１８ｃを元に戻すと、操作レバー１８は回転できない状態に保持される。
【０００７】
操作レバー１８の先端の交差部の回動軸１８ａと反対側の端部には、紙面と垂直方向にピン１８ｄが立設されており、このピン１８ｄは、操作レバー１８の下側に配置された板カム１９に穿設された円弧状の長孔１９ａを貫通している。板カム１９は、操作レバー１８の回動軸１８ａにより雌型アタッチメント１４に固定され、この軸を中心に回動可能である。操作レバー１８には三角形の突起１８ｅがあり、その先端にバネ手段２０の一端が係止され、バネ手段２０は図６の左端が固定され、右端を矢印ｂ方向に引っ張っている。したがって、操作レバー１８は、回動軸１８ａを中心にして反時計方向に付勢された状態である。また、ピン１８ｄが板カム１９の長孔１９ａの一端に圧接し、バネ手段２０により板カム１９を反時計方向に回転させる方向に付勢している。板カム１９の先端には、円弧状のカム面１９ｂがあり、その下端には、係止用の切欠部１９ｃがある。
【０００８】
雌型アタッチメント１４の板カム１９の先端側には、係止部材２１が図６の左右方向にスライド自在に取り付けられ、バネ手段２２により図６の矢印ｃに示す右方に向けて付勢された状態である。係止部材２１は板状で、先端が斜めに切断され、上端２１ａが切欠部１９ｃ内に入って板カム１９の反時計方向の回転を阻止している。また、係止部材２１の中間には、操作突起２３が立設されている。この操作突起２３は、嵌合凹部１６の先端部に突出した状態である。
【０００９】
板カム１９の先端側の図の下方には、長孔１９ｄが穿設され、ここにスライド板２４に立設されたピン２４ａが貫通している。スライド板２４には、中間に固定ピン２５が立設されており、スライド板２４は、バネ手段２６によって、図６の矢印ｄに示すように下方に向けて付勢されている。図６では、固定ピン２５は、嵌合凹部１６の外に出ている。
【００１０】
次に、この雌型アタッチメント１４の作用を説明する。図６は、固定ピン２５が嵌合凹部１６の外にあって、撮像カメラ１１を装着する準備ができた状態である。このとき、バネ手段２０は操作レバー１８を反時計方向に付勢し、操作レバー１８のピン１８ｄは、長孔１９ａの左端を押圧し、板カム１９を反時計方向に付勢している。板カム１９は、切欠部１９ｃに係止部材２１の上端２１ａが係止しているので、反時計方向の回転を抑えられた状態である。
【００１１】
図７（ａ）は、雌型アタッチメント１４に嵌合凹部１６と、これに連続する四角形の凹空間１７とを取り付けた状態の図で、（ｂ）は（ａ）のＤ−Ｄ断面の要部を示す図である。この（ｂ）は、嵌合凹部１６に嵌合凸部１５が嵌入した状態であるが、嵌合凹部１６は、開口側が狭く、底部が広い蟻溝となっており、嵌合凸部１５は蟻溝と係合する蟻ほぞ形状となっている。したがって、嵌合凹部１６と嵌合凸部１５とが嵌合すると、嵌合凸部１５は、図７（ａ）の右方向にスライドして抜け出ることができるが、図７（ｂ）の左右方向には、抜け出ることができない状態となる。
【００１２】
図７において、凹空間１７に撮像カメラ１１に取り付けられた雄型アタッチメント１２の嵌合凸部１５を仮想線に示すように入れる。そして、撮像カメラ１１と共に、嵌合凸部１５を矢印ｅの方向に押し込む。そして、嵌合凸部１５の先端が操作突起２３を矢印ｅの方向に押すと、操作突起２３と一体になっている係止部材２１がｅ方向に移動する。
【００１３】
図６に戻り、係止部材２１が図の左方向に移動すると、上端２１ａが切欠部１９ｃから外れる。すると、板カム１９が回動軸１８ａを中心に反時計方向に回転する。これによって、スライド板２４が矢印ｄに示すように図６の下方に移動し、固定ピン２５が、嵌合凹部１６内に突出する。
【００１４】
図８は、上記の一連の動作が完了した状態を示す。嵌合凹部１６内に突出した固定ピン２５は、嵌合凹部１６内に進入してきた嵌合凸部１５の切欠溝１５ａ内に入る。切欠溝１５ａは、入口が広く、奥が狭くなっており、固定ピン２５が入り易くなっている。これによって、嵌合凸部１５は嵌合凹部１６から抜け出ることができなくなり、雄型アタッチメント１２と雌型アタッチメント１４との結合が完結する。嵌合凸部１５は、図７の実線で示す位置にロックされる。
【００１５】
次に、撮像カメラ１１を取り外す場合を図８と図９により説明する。
【００１６】
図８の状態で、解除レバー１８ｃを矢印ａ方向に押動し、操作レバー１８の回動を可能にする。そして、操作レバー１８を、回動軸１８ａを中心に時計方向に回し、図９に示す位置に回動する。
【００１７】
操作レバー１８の先端のピン１８ｄは、図８において、長孔１９ａの右端に当接し、板カム１９を、回動軸１８ａを中心として時計方向に回転する。すると、板カム１９の円弧状のカム面１９ｂが、係止部材２１の先端の下端２１ｂを押動し、係止部材２１をバネ手段２２の付勢力に抗してｃ’方向に移動する。板カム１９の時計方向の回転によりスライド板２４が矢印ｄ’方向に移動し、固定ピン２５は図の上方に移動する。板カム１９が時計方向の回転を続け、やがて、切欠部１９ｃが係止部材２１の先端の上端２１ａの位置に来ると、係止部材２１は、バネ手段２２により矢印ｃ方向（図６参照）に付勢されているので、係止部材２１の上端２１ａが切欠部１９ｃに落ち込む。そして、図６の状態になり、固定ピン２５は嵌合凹部１６から退出し、嵌合凸部１５を嵌合凹部１６から抜き出すことができる。
【発明の開示】
【発明が解決しようとする課題】
【００１８】
しかしながら、前述した従来のカメラ固定装置は、図６の状態から嵌合凸部１５が操作突起２３を押動して撮像カメラ１１を装着固定するとき、係止部材２１が移動して上端２１ａが板カム１９の切欠部１９ｃから外れると、スライド板２４と係止部材２１とがバネ手段２０，２２，２６の付勢力によって勢い良く移動するので、バチンという大きな音を立てる。このようなカメラの固定が、たとえば、撮影中のテレビカメラの近傍で行われると、テレビ画像中に、画面とは無関係の異音として入ってしまうという問題がある。
【００１９】
本発明は、この問題を解決することを目的としたもので、カメラを固定する場合に、音の出ないカメラ固定装置を提供しようとするものである。
【課題を解決するための手段】
【００２０】
上記の目的を達成するために本発明のカメラ固定装置は、撮像カメラと雲台のいずれか一方に取り付けられる雄型アタッチメントと、撮像カメラと雲台のいずれか他方に取り付けられる雌型アタッチメントと、前記雄型アタッチメントに設けられた嵌合凸部と、前記雌型アタッチメントに形成され、前記嵌合凸部が進入可能で、進入した状態では進入方向と交差する方向の移動が阻止される嵌合凹部と、前記雌型アタッチメントに設けられ、前記嵌合凸部の進入方向と交差する方向にスライド自在に設けられ、雌型アタッチメントの外部に突出部を有する基板と、該基板に立設され、基板がスライドすることで前記嵌合凹部に突出した状態と嵌合凹部から退避した状態との間で移動自在な固定ピンと、該固定ピンが前記嵌合凹部に突出する方向に固定ピンを付勢するバネ手段と、前記嵌合凸部に形成され、前記固定ピンが入退可能な切欠溝と、を有することを特徴としている。
【００２１】
前記基板の突出部に取手を設けた構成としたり、前記嵌合凹部が蟻溝で、前記嵌合凸部が蟻ほぞである構成としたり、前記嵌合凸部と嵌合凹部が、嵌合凸部の進入方向の先端側が狭くなるＶ型である構成としたり、前記切欠溝が、前記嵌合凸部の進入方向とほぼ直角に交差している構成としたり、前記嵌合凹部の所定の位置に前記嵌合凸部が進入したのを検知する検知手段を設けた構成としたり、前記嵌合凹部に連続して凹空間が設けられ、前記検知手段が前記凹空間に出没する偏心カムを有する構成としたりすることができる。
【発明の効果】
【００２２】
本発明のカメラ固定装置は、雄型アタッチメントに設けられた嵌合凸部が、雌型アタッチメントに設けられた嵌合凹部に嵌合し、抜け止めがされることで、カメラを固定するものである。雌型アタッチメントには、基板がスライド自在に設けられ、基板には固定ピンが設けられている。そして、基板がスライドすることで、固定ピンは嵌合凹部内に突出したり、嵌合凹部から退出したりする。基板はバネ手段で付勢されており、自由状態では、固定ピンが嵌合凹部内に突出した状態となっている。一方、雄型アタッチメントに設けられた嵌合凸部には、固定ピンが進退できる切欠溝が形成されている。
【００２３】
基板の突出部を押し込むと、固定ピンが嵌合凹部から退出した状態となる。この状態で嵌合凸部を嵌合凹部内に挿入し、嵌合が完了したら、基板を押圧していた力を除く。すると、基板は元の自由状態の位置に復帰し、固定ピンが切欠溝に収容され、嵌合凸部は嵌合凹部から抜け出ることができなくなってカメラが固定されることになる。基板は、押圧力が大きいと固定ピンが嵌合凹部から退出する方向に移動し、押圧力が小さくなるとバネ手段の付勢力で復帰し、固定ピンが嵌合凹部に進入するが、この復帰するときの基板の動きは遅いので、カメラを固定するとき音が発生しないようにすることができる。
【００２４】
基板の突出部に取手を設けることで、基板を動かし易くすることができる。嵌合凹部が蟻溝で、嵌合凸部がこの蟻溝と嵌合する蟻ほぞであれば、両者が嵌合したとき、嵌合凸部が嵌合凹部から抜け出る方向を１方向に制限することができる。
【００２５】
嵌合凹部と嵌合凸部をＶ型にすることで、両者の嵌合をガタツキのないものにすることができる。切欠溝は、嵌合方向と直交する方向に形成することで、最も効果的に嵌合凸部の抜け止めをすることができる。
【００２６】
嵌合凹部の所定の位置に前記嵌合凸部が進入したのを検知する検知手段を設けると、カメラが固定されたことを簡単に知ることができる。
【発明を実施するための最良の形態】
【００２７】
以下、本発明の実施の形態を添付図面を参照して説明する。
【００２８】
図１は、本発明のカメラ固定装置の雌型アタッチメントの構成例を示す平面図である。従来例と共通する部分が多く、共通部分については、同一の符号を付している。また、雄型アタッチメントの方は、従来例と同一のものである。
【００２９】
図１に示す雌型アタッチメント１１４は、基部１１５にフレーム１１６を重ねた構成で、このフレーム１１６に、従来例と同じＶ型をした嵌合凹部１６と、これに連続した四角形の凹空間１７とを形成している。フレーム１１６の下部空間１１６ａ内には、基板１１１が設けられ、基板１１１の一端は雌型アタッチメント１１４の外部に突出しており、突出部には取手１１１ａが設けられている。基板１１１には、細長い空間１１１ｂが形成されていて、ここにバネ手段１１２が嵌装されている。バネ手段１１２は一端が基板１１１に設けられたピン１１１ｃに係止され、他端は嵌合凹部１６を形成するフレーム１１６に立設されたピン１１６ｂに係止されている。さらに、基板１１１には、固定ピン２５が立設されている。基板１１１は、空間１１６ａ内を図の上下方向にスライド自在で、バネ手段１１２が自由な状態では、図１に示すように固定ピン２５が嵌合凹部１６内に突出した状態となる。
【００３０】
次に、本発明のカメラ固定装置によるカメラの固定方法を説明する。図２は、雌型アタッチメント１１４に嵌合凸部１５を装着する途中の状態を示す図で、（ａ）は平面図、（ｂ）は（ａ）のＡ−Ａ断面図である。
【００３１】
まず、図２の雌型アタッチメント１１４は、三脚などの雲台にネジなどにより固定しておく。また、雄型アタッチメント１２は、カメラの所定位置にやはりネジなどを用いて固定しておく。
【００３２】
そして、撮像カメラ１１を持ち、雄型アタッチメント１２を下にして、嵌合凸部１５を凹空間１７内に載せる。次に、取手１１１ａを図２の矢印の方向に押し込む。すると、基板１１１が移動し、バネ手段１１２が伸び、固定ピン２５は、嵌合凹部１６から退出する。この状態で、撮像カメラ１１を嵌合凹部１６に向けてスライドさせると、嵌合凸部１５が嵌合凹部１６内に進入する。
【００３３】
嵌合凸部１５が嵌合凹部１６の所定の位置に達したら、取手１１１ａに加えていた手の力を緩める。すると、基板１１１はバネ手段１１２の付勢力により、図１に示す位置に戻り、固定ピン２５は、嵌合凸部１５に形成された切欠溝１５ａ内に進入する。以上により、嵌合凸部１５は、嵌合凹部１６内に嵌合・固定され、撮像カメラ１１が三脚などに固定されることになる。嵌合凸部１５が嵌合凹部１６の所定の位置に収容されなければ、固定ピン２５は切欠溝１５ａ内に入ることができない。
【００３４】
本発明のカメラ固定装置では、上述したように、基板１１１を手などで押し込んでカメラ側の嵌合凸部１５を嵌合凹部１６に嵌合させ、基板１１１に加えていた力を緩めることで、固定されるので、従来のように基板１１１が急激に移動することがなく、カメラが固定されても音を発生することはない。したがって、テレビカメラが撮影中に、その近傍でカメラを固定装置に固定しても、全く問題がない。
【００３５】
また、嵌合凸部１５と嵌合凹部１６とがＶ型となっているので、両者が嵌合したとき、ガタツキがないようにすることができる。
【００３６】
図３は、本発明の検知手段を示す図１のＢ−Ｂ断面図で、（ａ）はカメラを固定する前の初期状態を示す図、（ｂ）はカメラが所定位置に固定された状態を示す図、（ｃ）はカメラが所定位置でセットされなかった状態を示す図である。
【００３７】
検知手段１２０は、フレーム１１６の嵌合凹部１６の入口近傍に形成された空間１１６ｃ内に設けられ、円板の一部を切り欠いた本体部１２１と、この本体部１２１を回動自在に支持する軸１２２と、本体部１２１の外周に突設されたつまみ１２３とを有する。軸１２２は、円板の中心から外れた位置にあり、本体部１２１は、偏心カムとなっていて、つまみ１２３を掴んで軸１２２を中心に回動すると、本体部１２１の一部が空間１１６ｃ内に出没できる。
【００３８】
検知手段１２０が図３（ａ）に示す位置にあり、撮像カメラ１１が固定され、嵌合凸部１５が嵌合凹部１６内の所定の位置に収容されると、検知手段１２０は、図３（ｂ）に示すように、本体部１２１が空間１１６ｃ内に入り、つまみ１２３が雄型アタッチメント１２に当たるまで回動できる。しかし、嵌合凸部１５が嵌合凹部１６内の中間までしか入っていないと、つまみ１２３を回転したとき、本体部１２１の先端が図３（ｃ）に示すように、嵌合凸部１５に当たるか、或いは、雄型アタッチメント１２に当たるかして、図３（ｂ）に示す位置まで回動できなくなる。これによって、作業者は、撮像カメラ１１の固定が完全にできたかどうかの判断ができることになる。また、作業後は、つまみ１２３の位置を見ることで、撮像カメラ１１の固定が完全かどうかの判断ができる。
【００３９】
以上の実施例では、カメラとしてテレビカメラ等の撮像カメラを例示したが、本発明のカメラ固定装置は、撮像カメラの他の通常のカメラの固定装置として使用できるものである。
【００４０】
また、雄型アタッチメントをカメラ側に設け、雌型アタッチメントを雲台側に設けたが、逆に雄型アタッチメントを雲台側に設け、雌型アタッチメントをカメラ側に設けてもよい。
【図面の簡単な説明】
【００４１】
【図１】本発明のカメラ固定装置の雌型アタッチメントの構成例を示す図で、（ａ）は平面図、（ｂ）は（ａ）のＡ−Ａ断面図である。
【図２】雌型アタッチメントに嵌合凸部を装着する途中の状態を示す図で、（ａ）は平面図、（ｂ）は（ａ）のＢ−Ｂ断面図である。
【図３】本発明の検知手段を示す図２のＣ−Ｃ断面図で、（ａ）はカメラを固定する前の初期状態を示す図、（ｂ）はカメラが所定位置に固定された状態を示す図、（ｃ）はカメラが所定位置でセットされなかった状態を示す図である。
【図４】撮像カメラと従来のカメラ固定装置の全体を示すものである。
【図５】図４の撮像カメラの下部の雄型アタッチメント部分を拡大した斜視図である。
【図６】雌型アタッチメントの嵌合凹部の部分を取り除いた内部構成を示す図である。
【図７】（ａ）は、雌型アタッチメントに嵌合凹部と、これに連続する四角形の凹空間とを取り付けた状態の図で、（ｂ）は（ａ）のＤ−Ｄ断面の要部を示す図である。
【図８】嵌合凸部と嵌合凹部とが嵌合した状態を示す図である。
【図９】嵌合凸部と嵌合凹部との嵌合を解除する方法を説明する図である。
【符号の説明】
【００４２】
１１      撮像カメラ
１２      雄型アタッチメント
１３      雲台
１４      雌型アタッチメント
１５      嵌合凸部
１５ａ  切欠溝
１６      嵌合凹部
２５      固定ピン
１１１    基板
１１２    バネ手段
【図１】
2008199074.tif 000003
【図２】
2008199074.tif 000004
【図３】
2008199074.tif 000005
【図４】
2008199074.tif 000006
【図５】
2008199074.tif 000007
【図６】
2008199074.tif 000008
【図７】
2008199074.tif 000009
【図８】
2008199074.tif 000010
【図９】
2008199074.tif 000011